(57)【特許請求の範囲】
【請求項１】
球状塗布体がその一部がチップの先端から臨出した状態で回転可能に抱持されるとともに、該球状塗布体がコイルスプリングで弾発されてチップの内向きの先端縁に接触し、該チップが塗布液タンクに接続された先口の中心孔の先端部に嵌着され、該塗布液タンク内に、粘度の高い造膜性塗布液が充填されるとともに、攪拌部材が配置された塗布具において、
前記コイルスプリングは、球状塗布体に当接する小径部と、チップ内に配置される中径部と、チップから突出して先口の中心孔内に配置される膨大部と、先口の大内径部に突出する衝合部からなり、
前記先口内にリブが形成され、該コイルスプリングの膨大部の尾端側のテーパー部が該リブに係止し、
塗布具を上下に振ると、該攪拌部材がコイルスプリングの衝合部に衝突し、該膨大部が振動して先口の中心孔内の塗布液を撹拌することを特徴とする塗布具。
【発明の詳細な説明】
【０００１】
【発明の属する技術分野】
本発明は、修正液や化粧液など、顔料が溶媒内に分散した粘度の高い塗布液が充填された塗布具に関するものである。
【０００２】
【従来の技術】
塗布体が球状の塗布具は、顔料が溶媒内に分散した粘度の高い塗布液が充填された塗布液タンクの先端に先口を介してチップが取り付けられており、ボールペンと同様に、チップの先端からその一部が先端から臨出した状態で球状塗布体が回転自由に抱持されている。そして、球状塗布体をスプリングで弾発し、不使用時に、球状塗布体をチップの内向きの先端縁に密着させ、球状塗布体とチップの先端縁で弁構造を構成して塗布液が吐出しないようにしている。
【０００３】
使用時において、球状塗布体を塗布面に押し付けると球状塗布体がスプリングの弾発力に抗して後退し、球状塗布体とチップの先端縁との間に隙間ができるので、球状塗布体のチップ内の部分に付着した塗布液が球状塗布体の回転に伴ってこの隙間を通ってチップの外側に出て塗布される。
【０００４】
ところで、塗布液タンクに充填された粘度の高い造膜性塗布液は、顔料が溶媒内に分散したものであるので、長時間放置しておくと、顔料が溶媒と分離して沈降する。このため、塗布液タンク内に球状や棒状の撹拌部材を配置し、使用に先だって、塗布具を振って上下動する撹拌部材で塗布液を撹拌し、顔料を溶媒に分散させる必要がある。
【０００５】
【発明が解決しようとする課題】
球状塗布体を回転可能に抱持したチップは先口の中心孔の先端部に嵌着されるが、この先口の中心孔の内径はφ２ｍｍ程度である。塗布液タンク内の塗布液はこの先口の中心孔の後方部を通ってチップ内に供給されるが、不使用時には塗布液がこの先口の中心孔内にも滞留し、長時間放置すると先口の中心孔内においても顔料が溶媒と分離して沈降する。従って、使用に先だって、この先口の中心孔の塗布液も攪拌する必要があるが、先口の中心孔の内径が小さいので、攪拌部材が先口の中心孔内に入り込むことができず、この部分で沈降した顔料によって塗布液のチップへの供給が阻害される問題点がある。
【０００６】
そこで本発明は、使用に先だって塗布具を上下に振ると、先口の中心孔内の塗布液も攪拌されてチップへの塗布液の供給が阻害されることのない塗布具を提供することを目的とする。
【０００７】
【課題を解決するための手段】
かかる目的を達成するために、本発明は、球状塗布体がその一部がチップの先端から臨出した状態で回転可能に抱持されるとともに、球状塗布体がコイルスプリングで弾発されてチップの内向きの先端縁に接触し、チップが塗布液タンクに接続された先口の中心孔の先端部に嵌着され、塗布液タンク内に、粘度の高い造膜性塗布液が充填されるとともに、攪拌部材が配置された塗布具において、コイルスプリングを、球状塗布体に当接する小径部と、チップ内に配置される中径部と、チップから突出して先口の中心孔内に配置される膨大部と、先口の大内径部に突出する衝合部とで構成し、先口内にリを形成し、コイルスプリングの膨大部の尾端側のテーパー部がこのリブに係止し、塗布具を上下に振ると、攪拌部材がコイルスプリングの衝合部に衝突し、膨大部が振動して先口の中心孔内の塗布液を攪拌するようにする。
【０００８】
【発明の実施の形態】
以下に、図面に基づいて本発明の実施の形態を具体的に説明する。図１において、塗布液タンク１は硬質合成樹脂で成形された有底筒状体であり、その先端開口に先口２が液密に螺着されている。そして、球状塗布体４を回転可能に抱持したチップ３が先口２に保持されている。塗布液タンク１および先口２内部からチップ３にかけて、例えば粘度が３０〜４０ｃｐｓであって、溶媒に顔料が分散した造膜性の高い修正液である塗布液（図示せず）が充填されている。また、球状をした複数個の攪拌部材６が塗布液タンク１ないし先口２内を移動可能に配置されている。
【０００９】
合成樹脂で成形された先口２は、図２に示すように、チップ３が嵌め込まれる中心孔２１および攪拌部材６が移動可能な大内径部２２を有する。そして、中心孔２１と大内径部２２の境界のテーパー部には、図４に示すように、複数枚の縦リブ２３が放射状に形成されている。
【００１０】
チップ３は、ステンレスにて砲弾型に成形されたものであり、その先端のボールハウス内に、外径が例えばφ１．０ｍｍの超硬ボールからなる球状塗布体４がその一部がチップの先端から臨出した状態で回転可能に抱持されている。なお、チップ３は金属パイプからなるものであってもよい。このチップ３が先口２の中心孔２１の先端部分に嵌着されて固定されている。従って、先口２の中心孔２１の後方部分にはチップ３は存在しない。球状塗布体４は次に説明するコイルスプリング５で前方に弾発されており、不使用時にはチップ３の内向きの先端縁３１に圧接しており、塗布液が不意に吐出しないようになっている。そして、塗布時には球状塗布体４が後退して先端縁３１との間に隙間ができ、この隙間を通って塗布液が吐出される。つまり、球状塗布体４とチップ３の内向きの先端縁３１とで弁機構を構成している。
【００１１】
コイルスプリング５は、図３に示すように、先端の小径部５１、小径部５１に連設された中径部５２、テーパーを介して中径部５２に連設された膨大部５３、尾端側テーパー部５５を介して連設された衝合部５４からなる。因みに、中径部５２の外径はφ０．９０ｍｍであって、チップ３の内径よりも小さく、膨大部５３の外径はφ１．５４ｍｍであって、チップ３の内径よりも大きく、かつ先口３の中心孔２１の内径よりも小さい。
【００１２】
コイルスプリング５の中径部５２は、図２に示すように、チップ３内に配置され、小径部５１の先端が球状塗布体４に当接して前方に弾発している。外径がチップ３の内径よりも大きく先口３の中心孔２１の内径よりも小さな膨大部５３はチップ３から突出して先口３の中心孔２１内に位置している。また、衝合部５４は先口３の大内径部２２に突出している。そして、尾端側テーパー部５５が先口３の縦リブ２３に当接してコイルスプリング５が尾端側に抜けないようになっている。
【００１３】
しかして、使用に先だって塗布具を上下に振ると、塗布液タンク１内の塗布液は上下動する攪拌部材６によって攪拌され、溶媒と分離した顔料は再び溶媒内に分散する。このとき、攪拌部材６はコイルスプリング５の衝合部５４に衝突し、コイルスプリング５が上下に振動する。つまり、先口３の中心孔２１内において膨大部５３が上下に振動するので、従来は攪拌することができなかった先口３の中心孔２１内の塗布液も攪拌され、溶媒と分離した顔料は再び溶媒内に分散する。これにより、塗布具内の全ての塗布液が攪拌され、チップ３への塗布液の供給をスムーズに行うことかできる。
【００１４】
【発明の効果】
以上説明したように、本発明は、球状塗布体がその一部がチップの先端から臨出した状態で回転可能に抱持されるとともに、球状塗布体がコイルスプリングで弾発されてチップの内向きの先端縁に接触し、チップが塗布液タンクに接続された先口の中心孔の先端部に嵌着され、塗布液タンク内に、粘度の高い造膜性塗布液が充填されるとともに、攪拌部材が配置された塗布具において、コイルスプリングを、球状塗布体に当接する小径部と、チップ内に配置される中径部と、チップから突出して先口の中心孔内に配置される膨大部と、先口の大内径部に突出する衝合部とで構成し、先口内にリブを形成し、コイルスプリングの膨大部の尾端側のテーパー部がこのリブに係止し、塗布具を上下に振ると、攪拌部材がコイルスプリングの衝合部に衝突し、膨大部が振動して先口の中心孔内の塗布液を攪拌するので、先口の中心孔内の塗布液も攪拌されてチップへの塗布液の供給が阻害されることのない塗布具とすることができる。
【図面の簡単な説明】
【図１】本発明実施例の断面図である。
【図２】同じく要部の断面図である。
【図３】コイルスプリングの正面図である。
【図４】図２のＡ−Ａ線における断面図である。
【符号の説明】
１    塗布液タンク
２    先口
２１    中心孔
２２    大内径部
２３    縦リブ
３    チップ
３１    チップの先端縁
４    球状塗布体
５    コイルスプリング
５１    小径部
５２    中径部
５３    膨大部
５４    衝合部
５５    テーパー部
６    攪拌部材
【図１】
0003628969.tif 000002
【図２】
0003628969.tif 000003
【図３】
0003628969.tif 000004
【図４】
0003628969.tif 000005